(57)【要約】【課題】  樹木に登ることなく地上からの作業のみで簡易かつ確実に倒木用のロープを樹木に取り付けることができる簡便な倒木用ロープ取付け具を提供する。【解決手段】  倒木用ロープ取付け具（１０）は、樹木（１２）の幹または枝を引っ掛けるためのかぎ状のフック材（１４）と、先端部に該フック材を保持して樹木の所望の高さまでフック材を運ぶための操作棒（１６）と、該操作棒が取り付けられた側の前記フック材の付け根に結び付けられた倒木用ロープ（１８）と、を有し、前記フック材および前記操作棒にはフック材を樹木に引っ掛けた後に、フック材と操作棒とを分離するための着脱機構（２２）が設けられている。ここでこの着脱機構は、前記フック材の付け根に形成した突出部（２４）と、前記操作棒の先端に形成した挿入穴（２６）とからなり、前記突出部を前記挿入穴に嵌挿することで前記フック材と前記操作棒とを連結する。【選択図】  図１
2006020528.tif 000002
【特許請求の範囲】
【請求項１】
樹木（１２）の幹または枝を引っ掛けるためのかぎ状のフック材（１４）と、
先端部に該フック材を保持して樹木の所望の高さまでフック材を運ぶための操作棒（１６）と、
該操作棒が取り付けられた側の前記フック材の付け根に結び付けられた倒木用ロープ（１８）と、を有し、
前記フック材および前記操作棒にはフック材を樹木に引っ掛けた後に、フック材と操作棒とを分離するための着脱機構（２２）が設けられている、ことを特徴とする倒木用ロープ取付け具。
【請求項２】
前記着脱機構（２２）は前記フック材（１４）の付け根に形成した突出部（２４）と、前記操作棒（１６）の先端に形成した挿入穴（２６）とからなり、
前記突出部を前記挿入穴に嵌挿することで前記フック材と前記操作棒とを連結し、フック材を樹木に引っ掛けた後に操作棒を引っ張ることで前記突出部を前記挿入穴から引き抜きフック材と操作棒とを分離する、ことを特徴とする請求項１に記載の倒木用ロープ取付け具。
【請求項３】
前記突出部（２４）の側面には挿入穴（２６）の内周面に形成されたＬ字型のガイド溝（２８）に係合する突起（３２）が形成されており、
前記突出部は前記挿入穴の最深部まで挿し込まれた後に前記操作棒（１６）を突出部に対して軸周りに相対回転されることで、前記フック材（１４）を前記操作棒に止着するものである、ことを特徴とする請求項１又は２に記載の倒木用ロープ取付け具。
【請求項４】
前記フック材（１４）が取付け時に樹木（１２）と接触する部分には、樹木に食い込ませる刺針（３４）が形成されている、ことを特徴とする請求項１乃至３に記載の倒木用ロープ取付け具。
【請求項５】
前記フック材（１４）の付け根側の終端部には環状の環状部（３６）が形成され、前記倒木用ロープ（１８）の一端には環（３８）が形成されている、ことを特徴とする請求項１乃至４に記載の倒木用ロープ取付け具。
【請求項６】
前記操作棒（１６）は、連結式又はスライド式により伸縮可能なものである、ことを特徴とする請求項１乃至５に記載の倒木用ロープ取付け具。
【発明の詳細な説明】
【技術分野】
【０００１】
本発明は倒木用ロープ取付け具に関し、より詳細には、樹木、特に小径木を伐採する際に、その樹木が安全な方向に倒れるよう誘導するためのロープを樹木に取り付けるための倒木用ロープ取付け具に関する。
【背景技術】
【０００２】
従来から樹木、特に小径木を伐採する際には、樹木の適当な箇所にロープを取り付け、このロープを引っ張りながら樹木を伐採することで樹木の倒れ方向をコントロールし、これにより伐採した樹木が送電線やその他の構造物に転倒して接触することを防止するとともに作業員の安全を確保している。ここで従来このロープの取付けは梯子または昇柱機を使用して作業員が木に登って行っていた。
【０００３】
しかしながら樹木にロープを結び付ける作業は高所作業であるため危険を伴い、また、特に小径木に登るためには相当の熟練を要するとともに、作業者の体重によって樹木が折れてしまう危険性もあった。
【０００４】
そのため梯子などを用いて樹木に登る必要をなくし、簡単に樹木に倒木用のロープを取り付けることを目的とした特許文献１の「ロープ取付具」なども発案されている。
【特許文献１】実公平６−３８０３９
【発明の開示】
【発明が解決しようとする課題】
【０００５】
上記特許文献１に記載の発明は作業者が樹木に登ることなく倒木用のロープ（誘導ロープ）を取り付けることができるものの、通線ワイヤロープを通線穴から中空の取付棒の内部に挿通させる手間や通線ワイヤロープを地上まで下ろしてこれに誘導ロープを接続する手間などが多くかかるといった問題があった。
また特許文献１に記載のロープ取付具では樹木に掛けた湾曲ホースから通線ワイヤを地上まで下ろす際に通線ワイヤが小枝に引っかかってしまうこともあり、かかる場合には樹木に倒木用ロープを取り付けることができないといった問題もあった。
【０００６】
本発明は上記問題を解決するためになされたもので、その目的は樹木に登ることなく地上からの作業のみで簡易かつ確実に倒木用のロープを樹木に取り付けることができる簡便かつ簡易な倒木用ロープ取付け具を提供することにある。
【課題を解決するための手段】
【０００７】
上記問題を解決するため本発明の倒木用ロープ取付け具は、樹木（１２）の幹または枝を引っ掛けるためのかぎ状のフック材（１４）と、先端部に該フック材を保持して樹木の所望の高さまでフック材を運ぶための操作棒（１６）と、該操作棒が取り付けられた側の前記フック材の付け根に結び付けられた倒木用ロープ（１８）と、を有し、前記フック材および前記操作棒にはフック材を樹木に引っ掛けた後に、フック材と操作棒とを分離するための着脱機構（２２）が設けられている、ことを特徴とする。
【０００８】
ここで、前記着脱機構（２２）は前記フック材（１４）の付け根に形成した突出部（２４）と、前記操作棒（１６）の先端に形成した挿入穴（２６）とからなり、前記突出部を前記挿入穴に嵌挿することで前記フック材と前記操作棒とを連結し、フック材を樹木に引っ掛けた後に操作棒を引っ張ることで前記突出部を前記挿入穴から引き抜きフック材と操作棒とを分離する、ことを特徴とする。
【０００９】
また、前記突出部（２４）の側面には挿入穴（２６）の内周面に形成されたＬ字型のガイド溝（２８）に係合する突起（３２）が形成されており、前記突出部は前記挿入穴の最深部まで挿し込まれた後に前記操作棒（１６）を突出部に対して軸周りに相対回転されることで、前記フック材（１４）を前記操作棒に止着するものである、ことが好ましい。
【００１０】
さらに、前記フック材（１４）が取付け時に樹木（１２）と接触する部分には、樹木に食い込ませる刺針（３４）が形成されている、ことも好ましい。
【００１１】
なお、前記フック材（１４）の付け根側の終端部には環状の環状部（３６）が形成され、前記倒木用ロープ（１８）の一端には環（３８）が形成されている。
【００１２】
ここで、前記操作棒（１６）は、連結式又はスライド式により伸縮可能なものである、ことを特徴とする。
【発明の効果】
【００１３】
請求項１に記載の倒木用ロープ取付け具によれば、倒木用ロープが結び付けられたフック材を操作棒の先端に取り付けてこれを樹木の所望の高さまで運ぶことで、作業者が樹木に登ることなく地上からの作業のみで倒木用ロープを樹木の幹や枝に容易かつ確実に取り付けることができ、これにより伐採時に安全な方向に樹木を誘導することができる。
ここで本発明の倒木用ロープ取付け具は従来のものと比してその構造が簡易であるため、安価に生産することができる。また倒木用ロープが結び付けられたフック材は倒木時には操作棒から取り外して使用されるため、１本の操作棒によって順次複数の樹木に倒木用ロープを引っ掛けることができる。
【００１４】
請求項２に記載の発明によれば、フック材を簡易な機構により操作棒と着脱自在とすることができる。
【００１５】
請求項３に記載の発明によれば、フック材に刺針を形成することで、樹木の幹などに引っ掛けたフック材がずれ落ちることを防止することができる。これにより１本の操作棒によって複数の樹木に倒木用ロープを取り付けてから伐採を行うことで、伐採作業をスムーズに行うことができるようになる。
【００１６】
請求項４に記載の発明によれば、挿入穴の内周面に形成したＬ字型のガイド溝に突出部の側面の突起を係合させることで、樹木にフック材を引っ掛ける作業中にフック材が不用意に操作棒から抜け落ちることを防止することができるとともに、フック材を樹木に引っ掛けた後は、フック材を操作棒から容易に取り外すことができる。なお請求項３に記載の着脱機構によれば、刺針を樹木に突き刺すために操作棒を手前側に引っ張る際に、操作棒からフック材が抜けてしまうことを防止することができる。
【００１７】
請求項５に記載の発明によれば、フック材の付け根の終端部に形成した環状部に、一端に環を形成した倒木用ロープを通してから、倒木用ロープ先端の環をフック材の先端から付け根側に通してやることで、倒木用ロープを簡易にフック材に結び付けることができ、また、その取り外しも容易に行うことができる。
【００１８】
請求項６に記載の発明によれば、操作棒を伸縮自在なものとし、操作棒の長さを延長することによってフック材を樹木の所望の高さまで運ぶことができ、また不使用時にはコンパクトにこれを収納することができる。
【発明を実施するための最良の形態】
【００１９】
本発明の倒木用ロープ取付け具は主として電力事業者が配電線の設置・保守を目的として行う樹木の伐採時に、伐採した樹木が安全な方向に倒れるよう誘導するためのロープを樹木に取り付けるために使用されるものである。以下本発明の実施例を図面を参照して説明する。
図１は本発明の倒木用ロープ取付け具の一実施例を示す平面図、図２は分離されたフック材および操作棒の着脱機構を示した平面図である。
【００２０】
図１および図２に示したように、この倒木用ロープ取付け具１０は、樹木の幹または枝を引っ掛けるためのフック材１４と、先端部にフック材を保持する操作棒１６と、フック材の付け根に結び付けられる倒木用ロープ１８とから構成されている。
【００２１】
フック材１４は金属性の中実円柱棒状体を加工して作成されている。フック材１４は樹木、特に小径木の幹や枝に引っ掛けることができる大きさの約２／３円弧の円弧部１とこれと連続する支持部３とからなり、支持部３の終端には直径５ｃｍ程度の環状部３６が形成されている。
フック材１４の円弧部１には倒木用ロープ１８を引っ張った際に前記フックが樹木１２と接触する部分、すなわち円弧部１の内周の一部には、数ミリメートル程度の刺針３４が形成されている。この刺針３４はフック材１４を樹木１２の幹等に引っ掛けた後に、フック材１４がずれ落ちることを防止して作業性を向上させるためのものである。
フック材１４の支持部３には、図２に示したように支持部とほぼ直角に突出してからＬ字型に屈曲して、支持部の軸方向と平行になるように形成された突出部２４が溶接により取り付けられている。突出部２４の側面（支持部の軸方向と平行となる部分の側面）には径方向に突出する高さ１ｃｍ程度の突起３２が形成されている。
【００２２】
操作棒１６は、グラスファイバーやプラスチック樹脂性の中空円柱を連結式により伸縮自在に構成したもので、その先端には挿入穴２６が形成されている。この挿入穴２６はフック材１４の突出部２４が嵌挿され、この突出部２４と挿入穴２６からなる着脱機構２２によって、フック材１４は操作棒１６に容易に取り付け・取り外し可能となっている。
ここで挿入穴２６の内周面には、フック材１４の突出部２４に設けられた突起３２をガイドするためのＬ字型のガイド溝２８が形成されている。
フック材１４を操作棒１６に取り付ける際には、突出部２４をその突起３２がガイド溝２８に沿って進むように挿入穴２６の最深部まで挿し込んだ後に、操作棒に対して１／４回転させることでフック材を操作棒に固定する。一方、樹木１２に引っ掛けたフック材１４から操作棒１６を取り外す場合には、手元の操作棒１６を軸周りに取付け時とは逆方向に１／４回転させた後に引き寄せ、挿入穴２６からフック材１４の突出部２４を引き抜いてやる。
なお突出部２４の外周に雄ネジを形成し、挿入穴２６の内周面に雌ネジを形成してやることで、これを突起３２部とガイド溝２８に代えることもできる。
【００２３】
図３に示したように、倒木用ロープ１８は絶縁性の強靭な樹脂繊維を直径１ｃｍ程度に束ねたものであり、その一端には変形可能な環３８が形成されている。
この倒木用ロープ１８のフック部への取付けは、図３に示したように、フック材１４の付け根の環状部３６に倒木用ロープ１８の環３８を通してから、この環３８をフック材１４の先端から付け根側に通し、これを環状部３６の先端まで引き寄せてやることで、倒木用ロープ１８を簡易にフック材１４に結び付けることができる。
【００２４】
次に本発明の倒木用ロープ取付け具の使用方法について説明する。図４は本発明の倒木用ロープ取付け具１０の使用の状態を示した図である。また図５は倒木用ロープ取付け具を用いた倒木作業の手順を示したフロー図である。
【００２５】
［準備段階（Ｓ１）］
まずフック材１４の環状部３６に、上述した方法によって倒木用ロープ１８を結び付けた後に、フック材１４の突出部２４を操作棒１６の挿入穴２６に嵌挿してやる。このとき突出部２４に形成された突起３２は挿入穴２６のガイド溝２８に沿って推し進められ、最終的には操作棒１６を突出部２４に対して１／４軸回転されることでフック材１４と操作棒１６とを係止する。
また必要に応じて操作棒１６を連結してやることで操作棒１６の長さを延長してやる。
［取付け段階（Ｓ２）］
上記準備段階で準備した倒木用ロープ取付け具１０を、手元に倒木用ロープ１８を握りながら地上から上方に向かって樹木１２に伸ばし、所望位置の幹をフック材１４の円弧部の開口から導き入れてフック材１４を幹に引っ掛けてやる。
その後一度強く操作棒１６を手元側に引き寄せて、フック材１４の刺針３４を幹に食い込ませる。最後に操作棒１６をフック材１４の取付け時とは逆方向に１／４軸回転させてから引っ張ることにより突出部２４を挿入穴２６から抜き取ってやる。なお上記準備段階及び本取付け段階を繰り返し行うことで、１本の操作棒１６によって複数の樹木１２にフック材１４を取り付けて、後述の倒木段階をまとめて行うことができる。
［倒木段階（Ｓ３）］
この段階は従来の倒木用ロープの利用方法と同じ方法で作業が行われる。すなわち、１人の作業者が樹木１２に取り付けられたフック材１４からのびる倒木用ロープ１８を、樹木を倒したい方向に安全な位置から引っ張ってやる。一方、他の作業者は倒木用ロープ１８の引っ張り方向とは反対の方向から樹木の根本付近を切断してやる。これにより切断された樹木１２を倒木用ロープ１８の引っ張り方向に倒してやる。最後に倒れた樹木からフック材１４を取り外してからその樹木を撤去してやることで作業を完了する。
【００２６】
このように本発明によれば、簡易な構造で安価な倒木用ロープ取付け具１０により作業者が樹木１２に登ることなく地上からの作業のみで倒木用ロープ１８を樹木の幹や枝に確実かつ容易に取り付けることができ、伐採時には安全な方向に樹木１２を誘導することができる。
【００２７】
なお本発明は、倒木用ロープを樹木の幹等に地上からの作業によって安全かつ確実に取付けることができるものであれば上述した発明の実施の形態に限定されず、本発明の要旨を逸脱しない範囲で種々変更できることは勿論である。
【産業上の利用可能性】
【００２８】
本発明の倒木用ロープ取付け具は、電力事業者の使用に限定されず、樹木、特に小径木を伐採する場面全般に有効に使用することができる。
【図面の簡単な説明】
【００２９】
【図１】本発明の倒木用ロープ取付け具の一実施例を示す平面図である。
【図２】分離されたフック材および操作棒の先端部を示した平面図である。
【図３】倒木用ロープのフック部への取付け方法を示した図である。
【図４】本発明の倒木用ロープ取付け具の使用の状態を示した図である。
【図５】倒木用ロープ取付け具を用いた倒木作業の手順を示したフロー図である。
【符号の説明】
【００３０】
１    円弧部
３    支持部
１０  倒木用ロープ取付け具
１２  樹木
１４  フック材
１６  操作棒
１８  倒木用ロープ
２２  着脱機構
２４  突出部
２６  挿入穴
２８  ガイド溝
３２  突起
３４  刺針
３６  環状部
３８  環
【図１】
2006020528.tif 000003
【図２】
2006020528.tif 000004
【図３】
2006020528.tif 000005
【図４】
2006020528.tif 000006
【図５】
2006020528.tif 000007